(57)【特許請求の範囲】
【請求項１】
表示パネルを備える電子機器において、保持フレームを装着して前記表示パネルを保持するための保持構造であって、
前記保持フレームが、開口部を有し、該開口部に前記表示パネルを嵌め込んで保持する枠体と、前記開口部に嵌め込まれた前記表示パネルを所定の方向に付勢して当該開口部の所定の内周面に当接させる少なくとも一つの付勢部とを備えて構成され、該付勢部が、バネ性を発揮できる所定の異形を有する態様で前記枠体の一部をなすと共に、前記付勢部の前記異形の輪郭は、前記開口部の内周縁の一部をなしていて、
前記表示パネルが、前記保持フレームの前記開口部に嵌め込まれ、前記付勢部によって当該開口部の前記内周面に付勢当接される態様で、互いに一体結合されていると共に、前記保持フレーム及び前記表示パネルが両面粘着テープを介して機器筐体又は筐体内の基体に貼着されていることを特徴とする表示パネルの保持構造。
【請求項２】
表示パネルを備える電子機器において、保持フレームを装着して前記表示パネルを保持するための保持構造であって、
前記保持フレームが、開口部を有し、該開口部に前記表示パネルを嵌め込んで保持する枠体と、前記開口部に嵌め込まれた前記表示パネルを所定の方向に付勢して当該開口部の所定の内周面に当接させる少なくとも一つの付勢部とを備えて構成され、該付勢部が、バネ性を発揮できる所定の異形を有する態様で前記枠体の一部をなすと共に、前記開口部に面して、かつ、前記表示パネルの縁部外周に概略沿う方向に突設されていて、
前記表示パネルが、前記保持フレームの前記開口部に嵌め込まれ、前記付勢部によって当該開口部の前記内周面に付勢当接される態様で、互いに一体結合されていると共に、前記保持フレーム及び前記表示パネルが両面粘着テープを介して機器筐体又は筐体内の基体に貼着されていることを特徴とする表示パネルの保持構造。
【請求項３】
表示パネルを備える電子機器において、保持フレームを装着して前記表示パネルを保持するための保持構造であって、
前記保持フレームが、概略矩形の開口部を有し、該開口部に概略矩形の表示パネルを嵌め込んで保持するロ字状の枠体と、前記開口部の一辺側に設けられ、前記開口部に嵌め込まれた前記表示パネルを前記開口部の前記一辺と相対向する他辺側に付勢して当該開口部の他辺側の内周面に当接させる左右一対の付勢部とを備えて構成され、該付勢部が、バネ性を発揮できる所定の異形を有する態様で前記枠体の一部をなすと共に、前記開口部に面して、かつ、前記表示パネルの縁部外周に概略沿う方向に突設されていて、
前記表示パネルが、前記保持フレームの前記開口部に嵌め込まれ、前記付勢部によって当該開口部の前記内周面に付勢当接される態様で、互いに一体結合されていると共に、前記保持フレーム及び前記表示パネルが両面粘着テープを介して機器筐体又は筐体内の基体に貼着されていることを特徴とする表示パネルの保持構造。
【請求項４】
表示パネルを備える電子機器において、保持フレームを装着して前記表示パネルを保持するための保持構造であって、
前記保持フレームが、開口部を有し、該開口部に前記表示パネルを嵌め込んで保持する枠体と、前記開口部に嵌め込まれた前記表示パネルを所定の方向に付勢して当該開口部の所定の内周面に当接させる少なくとも一つの付勢部と、前記開口部の前記内周面の所定の下部から当該開口部に向けて突設され、前記表示パネルの組立時の落下を防止するための落下防止リブとを備えて構成され、前記付勢部が、バネ性を発揮できる所定の異形を有する態様で前記枠体の一部をなすと共に、前記付勢部の前記異形の輪郭は、前記開口部の内周縁の一部をなしていて、
前記表示パネルが、前記保持フレームの前記落下防止リブ上に載置された状態で前記保持フレームの前記開口部に嵌め込まれ、前記付勢部によって当該開口部の前記内周面に付勢当接される態様で、前記保持フレームに一体結合されていると共に、該保持フレームが下段の両面粘着テープを介して、かつ、前記表示パネルが上段と下段の両面粘着テープを介して機器筐体又は筐体内の基体に貼着されていることを特徴とする表示パネルの保持構造。
【請求項５】
表示パネルを備える電子機器において、保持フレームを装着して前記表示パネルを保持するための保持構造であって、
前記保持フレームが、開口部を有し、該開口部に前記表示パネルを嵌め込んで保持する枠体と、前記開口部に嵌め込まれた前記表示パネルを所定の方向に付勢して当該開口部の所定の内周面に当接させる少なくとも一つの付勢部と、前記開口部の前記内周面の所定の下部から当該開口部に向けて突設され、前記表示パネルの組立時の落下を防止するための落下防止リブとを備えて構成され、前記付勢部が、バネ性を発揮できる所定の異形を有する態様で前記枠体の一部をなすと共に、前記開口部に面して、かつ、前記表示パネルの縁部外周に概略沿う方向に突設されていて、
前記表示パネルが、前記保持フレームの前記落下防止リブ上に載置された状態で前記保持フレームの前記開口部に嵌め込まれ、前記付勢部によって当該開口部の前記内周面に付勢当接される態様で、前記保持フレームに一体結合されていると共に、該保持フレームが下段の両面粘着テープを介して、かつ、前記表示パネルが上段と下段の両面粘着テープを介して機器筐体又は筐体内の基体に貼着されていることを特徴とする表示パネルの保持構造。
【請求項６】
表示パネルを備える電子機器において、保持フレームを装着して前記表示パネルを保持するための保持構造であって、
前記保持フレームが、概略矩形の開口部を有し、該開口部に概略矩形の表示パネルを嵌め込んで保持するロ字状の枠体と、前記開口部の一辺側に設けられ、前記開口部に嵌め込まれた前記表示パネルを前記開口部の前記一辺と相対向する他辺側に付勢して当該開口部の他辺側の内周面に当接させる左右一対の付勢部と、前記開口部の前記内周面の所定の下部から当該開口部に向けて突設され、前記表示パネルの組立時の落下を防止するための落下防止リブとを備えて構成され、該付勢部が、バネ性を発揮できる所定の異形を有する態様で前記枠体の一部をなすと共に、前記開口部に面して、かつ、前記表示パネルの縁部外周に概略沿う方向に突設されていて、
前記表示パネルが、前記保持フレームの前記落下防止リブ上に載置された状態で前記保持フレームの前記開口部に嵌め込まれ、前記付勢部によって当該開口部の前記内周面に付勢当接される態様で、前記保持フレームに一体結合されていると共に、該保持フレームが下段の両面粘着テープを介して、かつ、前記表示パネルが上段と下段の両面粘着テープを介して機器筐体又は筐体内の基体に貼着されていることを特徴とする表示パネルの保持構造。
【請求項７】
表示パネルを備える電子機器において、保持フレームを装着して前記表示パネルを保持するための保持構造であって、
前記保持フレームが、開口部を有し、該開口部に前記表示パネルを嵌め込んで保持する枠体と、前記開口部に嵌め込まれた前記表示パネルを所定の方向に付勢して当該開口部の所定の内周面に当接させる少なくとも一つの付勢部と、前記開口部の前記内周面の所定の下部から当該開口部に向けて突設され、前記表示パネルの組立時の落下を防止するための落下防止リブとを備えて構成され、前記付勢部が、バネ性を発揮できる所定の異形を有する態様で前記枠体の一部をなすと共に、前記付勢部の前記異形の輪郭は、前記開口部の内周縁の一部をなしていて、
前記表示パネルが、前記保持フレームの前記落下防止リブ上に載置された状態で前記保持フレームの前記開口部に嵌め込まれ、前記付勢部によって当該開口部の前記内周面に付勢当接される態様で、前記保持フレームに一体結合されていると共に、
機器筐体又は筐体内の基体は、上段面と下段面との段差構造となっていて、前記上段面にて、前記表示パネルが両面粘着テープを介して、前記下段面にて、前記保持フレームが両面粘着テープを介して、前記機器筐体又は筐体内の前記基体に貼着されていることを特徴とする表示パネルの保持構造。
【請求項８】
表示パネルを備える電子機器において、保持フレームを装着して前記表示パネルを保持するための保持構造であって、
前記保持フレームが、開口部を有し、該開口部に前記表示パネルを嵌め込んで保持する枠体と、前記開口部に嵌め込まれた前記表示パネルを所定の方向に付勢して当該開口部の所定の内周面に当接させる少なくとも一つの付勢部と、前記開口部の前記内周面の所定の下部から当該開口部に向けて突設され、前記表示パネルの組立時の落下を防止するための落下防止リブとを備えて構成され、前記付勢部が、バネ性を発揮できる所定の異形を有する態様で前記枠体の一部をなすと共に、前記開口部に面して、かつ、前記表示パネルの縁部外周に概略沿う方向に突設されていて、
前記表示パネルが、前記保持フレームの前記落下防止リブ上に載置された状態で前記保持フレームの前記開口部に嵌め込まれ、前記付勢部によって当該開口部の前記内周面に付勢当接される態様で、前記保持フレームに一体結合されていると共に、
機器筐体又は筐体内の基体は、上段面と下段面との段差構造となっていて、前記上段面にて、前記表示パネルが両面粘着テープを介して、前記下段面にて、前記保持フレームが両面粘着テープを介して、前記機器筐体又は筐体内の前記基体に貼着されていることを特徴とする表示パネルの保持構造。
【請求項９】
表示パネルを備える電子機器において、保持フレームを装着して前記表示パネルを保持するための保持構造であって、
前記保持フレームが、概略矩形の開口部を有し、該開口部に概略矩形の表示パネルを嵌め込んで保持するロ字状の枠体と、前記開口部の一辺側に設けられ、前記開口部に嵌め込まれた前記表示パネルを前記開口部の前記一辺と相対向する他辺側に付勢して当該開口部の他辺側の内周面に当接させる左右一対の付勢部と、前記開口部の前記内周面の所定の下部から当該開口部に向けて突設され、前記表示パネルの組立時の落下を防止するための落下防止リブとを備えて構成され、該付勢部が、バネ性を発揮できる所定の異形を有する態様で前記枠体の一部をなすと共に、前記開口部に面して、かつ、前記表示パネルの縁部外周に概略沿う方向に突設されていて、
前記表示パネルが、前記保持フレームの前記落下防止リブ上に載置された状態で前記保持フレームの前記開口部に嵌め込まれ、前記付勢部によって当該開口部の前記内周面に付勢当接される態様で、前記保持フレームに一体結合されていると共に、
機器筐体又は筐体内の基体は、上段面と下段面との段差構造となっていて、前記上段面にて、前記表示パネルが両面粘着テープを介して、前記下段面にて、前記保持フレームが両面粘着テープを介して、前記機器筐体又は筐体内の前記基体に貼着されていることを特徴とする表示パネルの保持構造。
【請求項１０】
表示パネルを備える電子器であって、請求項１乃至９の何れか一に記載の表示パネルの保持構造を備えてなることを特徴とする電子機器。
【発明の詳細な説明】
【技術分野】
【０００１】
この発明は、表示パネルの保持構造及び該保持構造を備える電子機器に係り、とくには、薄型の携帯電話機に適用して好適な表示パネルの保持構造及び該保持構造を備える電子機器に関する。
【背景技術】
【０００２】
この種の電子機器としては、図６及び図７に示すように、表示部を備える受信側の上部ユニット１と、キー操作部を備える送話側の下部ユニット２とが、ヒンジ部３を介して開閉できる折畳式の携帯電話機４が知られている。この折畳式の携帯電話機４では、上部ユニット１の正面に、主表示部として、液晶（LCD；Liquid Crystal Display）等の正面表示部を備えている他、装置意匠面側となる背面にも、副表示部として、液晶等の背面表示部を備えているのが一般的である。上部ユニット１の、とくに、背面表示部廻りは、図８に示すように、フロントケース５と、両面粘着テープ６と、プリント回路基板７と、保護フレーム８と、背面液晶表示部９と、リアカバー１０と、窓パネル１１とから概略構成されている。
【０００３】
ここで、上記フロントケース５とリアカバー１０とで、上部ユニット１の筐体（上部筐体）が構成されている。上記フロントケース５には、見開きの状態で正面主要部を構成する図示せぬ正面液晶表示部が設けられている。背面液晶表示部９は、同図に示すように、時刻や不在着信通知やメールの受信状況等を表示するための概略矩形の背面液晶表示パネル９aと、表示駆動回路部９ｂと、これらを電気的に接続するフレキシブルケーブル９ｃとから概略構成されている。また、上記表示駆動回路９ｂは、プリント回路基板（PCB；Printed Circuit Board）７に実装されて、図示せぬ制御回路部に接続されている。また、上記リアカバー１０には、背面液晶表示パネル９aの表示画面Ｓを外部背面側から視認できるようにするための背面表示窓部１０aが設けられていて、この背面表示窓部１０aの外観意匠面側には、背面表示用の窓パネル１１が嵌め込まれている。
【０００４】
また、上記保護フレーム８は、背面液晶表示パネル９aを嵌合保護するための概略ロ字状の枠体からなり、この保護フレーム８には、背面液晶表示パネル９aが隙間（遊び）のある態様で、枠体に嵌め込まれている。また、プリント回路基板７には、保護フレーム８を実装するための開口部７ａが穿設されていて、この開口部７aには、保護フレーム８が隙間（遊び）のある態様で嵌め込まれている。
【０００５】
このような隙間（プリント回路基板７と保護フレーム８との間、及び保護フレーム８と背面液晶表示パネル９aとの間の遊び）は、製造誤差ではなく、次述する実装上の要請に基づくものである。つまり、この発明の関連技術にあっては、背面液晶表示部９廻りを実装する際、まず、フロントケース５のリアカバー対向面５ａに両面粘着テープ６を貼り付けておく。リアカバー対向面５ａは、フロントケース５自体の裏面でも良く、図示せぬ正面液晶表示装置の補強フレームの裏面であっても良い。以下、簡単のため、リアカバー対向面５ａのことを、フロントケースの裏面とも言う。この後、フロントケース５の裏面に貼着された両面粘着テープ６の上面に、プリント回路基板７、保護フレーム８、及び背面液晶表示パネル９aをこの順に落とし込んで行くことで、組立てが行われる。このような組立方法が採用されるため、落とし込みの円滑性確保のための隙間が必要とされる。
【０００６】
しかしながら、このような嵌合状態の隙間は、落下等の衝撃を受けると、プリント回路基板７と保護フレーム８との間、保護フレーム８と背面液晶表示パネル９aとの間でバタツキ（ガタツキ）が発生する要因となる。そこで、このようなバタツキを防止するために、プリント回路基板７、保護フレーム８、及び背面液晶表示パネル９aは、それぞれ両面粘着テープ６を介して、フロントケース５の裏面に接着固定されている。
【０００７】
ところで、上記構成部品間に隙間（遊び）があると、装置組立時、構成部品間に回転ずれが生じ易くなるため、欠陥品の発生が助長される虞がある。とりわけ、図９に示すように、保護フレーム８と背面液晶表示パネル９aとの間で回転ずれδＲが生じると、図１０に示すように、ユーザの目に入る表示画面Ｓ上の表示文字列１２が傾いて見えるので、視認上不都合であり、装置美観上も好ましくない。
なお、図６乃至図１０では、図中横長型の表示画面Ｓを備える携帯電話機４の構成を示したが、これに限らず、図１１に示すように、図中縦長型の表示画面Ｇを備える折畳式の携帯電話機１３についても、上記と同様の問題が発生する。
【０００８】
このような不都合を解消する手段として、特許文献１には、液晶表示パネルをバタツキ（ガタツキ）なく固定できるようにした表示パネルホルダを備える固定電話機等の電子機器が開示されている。
特許文献１に記載の表示パネルホルダは、４つの側面を有する箱型フレームと、この箱型フレームの四隅上部に設けられた略Ｌ字形状の位置決めリブと、この箱型フレームの一の側面に装着されたバネ構造の２個の付勢部とから概略構成されている。付勢部の上端部には、直角に屈曲して延在する係止爪が設けられている。上記位置決めリブと液晶表示パネルの外周隅部との間には、液晶表示パネルを箱型フレームの上部に容易に載置できるように、隙間（クリアランス）が設けられている。
【０００９】
上記構成の表示パネルホルダに液晶表示パネルを装着する際には、まず、液晶表示パネルの一端をバネ構造の付勢部に当接させると共に、係止爪に係止させた状態で、箱型フレームの上部に載置する。これにより、液晶表示パネルは、係止爪により係止された状態で、付勢部により押圧力が加えられて、また、表示パネルホルダの上部に固定される。このように、特許文献１に記載の保持構造によれば、位置決めリブの他にバネ構造の付勢部を備えているので、液晶表示パネルの傾きを低減できると共に、係止爪によって液晶表示パネルの浮きも防止することができる。
【先行技術文献】
【特許文献】
【００１０】
【特許文献１】特開２０００−００４０８７号公報
【発明の概要】
【発明が解決しようとする課題】
【００１１】
しかしながら、特許文献１に記載の液晶表示パネルの保持構造を、表裏２面に液晶表示装置を備える昨今の薄型指向の携帯電子機器に適用するには、不具合がある。
何故なら、付勢部が、厚みのある箱型フレームの側面に沿って縦向きに立設される特許文献１に記載の表示パネルホルダの構成は、携帯電子機器の薄型化の要請とは相容れないためである。加えて、箱型フレームの他にも、別部品として付勢部を用意しなければならずこのため、部品点数及び組立工数の増加を招くので、不都合である。
【００１２】
この発明は、上述の事情に鑑みてなされたもので、装置の薄型化を犠牲にせずに、表示パネル（表示画面）の傾きを防止できる、表示パネルの保持構造及び該保持構造を備える電子機器を提供することを第１の目的としている。
また、この発明は、部品点数及び組立工数の増加を招かずに、表示パネル（表示画面）の傾きを防止できる、表示パネルの保持構造及び該保持構造を備える電子機器を提供することを第２の目的としている。
【課題を解決するための手段】
【００１３】
上記課題を解決するために、この発明の構成は、表示パネルを備える電子機器において、保持フレームを装着して前記表示パネルを保持するための保持構造に係り、前記保持フレームが、開口部を有し、該開口部に表示パネルを嵌め込んで保持する枠体と、前記開口部に嵌め込まれた前記表示パネルを所定の方向に付勢して当該開口部の所定の内周面に当接させる少なくとも一つの付勢部とを備えて構成され、該付勢部が、バネ性を発揮できる所定の異形を有する態様で前記枠体の一部をなすと共に、前記付勢部の前記異形の輪郭は、前記開口部の内周縁の一部をなしていて、前記表示パネルが、前記保持フレームの前記開口部に嵌め込まれ、前記付勢部によって当該開口部の前記内周面に付勢当接される態様で、互いに一体結合されていると共に、前記保持フレーム及び前記表示パネルが両面粘着テープを介して機器筐体又は筐体内の基体に貼着されていることを特徴としている。
【発明の効果】
【００１５】
この発明の構成によれば、付勢部は、バネ性を発揮できる所定の異形を有する態様で枠体の一部をなすと共に、付勢部の異形の輪郭は、開口部の内周縁の一部をなしているので、保持フレームの厚みの増加を伴わずに、付勢部を設けることができる。それゆえ、薄型構造を維持したまま、表示パネル（表示画面）の傾きを防止できる。また、付勢部は、新たな別部品ではなく、枠体の一部をなすと共に、付勢部の輪郭は、開口部の内周縁の一部をなすので、部品点数及び組立工数の増加を招かずに、表示パネル（表示画面）の傾きを防止できる。
【図面の簡単な説明】
【００１６】
【図１】この発明の第1の実施形態である背面液晶表示パネルの保持構造を分解して示す分解斜視図である。
【図２】同背面液晶表示パネルの保持構造の機能を概略説明するための平面図である。
【図３】同背面液晶表示パネルの保持構造を概略示す断面図であり、同背面液晶表示パネルの保持構造の組立方法を説明するための説明図である。
【図４】この発明の第２の実施形態である背面液晶表示パネルの保持構造を概略示す断面図である。
【図５】この発明の第３の実施形態である背面液晶表示パネルの保持構造を概略示す断面図である。
【図６】この発明の関連技術を説明するための図で、横長型の表示画面を備える折畳式の携帯電話機の開状態における外観構成を示す外観図である。
【図７】同折畳式の携帯電話機の閉状態における外観構成を示す外観図である。
【図８】同折畳式の携帯電話機を構成する上部ユニットの内部構成を分解して示す分解斜視図である。
【図９】同関連技術の不具合（背面液晶表示パネルの回転ずれ）を説明するための図である。
【図１０】同関連技術の不具合（表示文字列の傾き）を示す図である。
【図１１】この発明の別の関連技術を示す図で、縦長型の表示画面を備える折畳式の携帯電話機の開状態における外観構成を示す外観図である。
【発明を実施するための形態】
【００１７】
装置の薄型化を犠牲にせずに、部品点数及び組立工数の増加も招かずに、表示パネルの傾きを防止するという目的を、付勢部が、枠体の一部をなすと共に、その輪郭が、開口部の内周縁の一部をなす態様で、保持フレームを形成することで、実現した。
上記付勢部は、バネ性を発揮できる所定の異形を有する態様で前記枠体の一部をなすと共に、枠体の開口部に面して、かつ、表示パネルの縁部外周に概略沿う方向に突設されている。
【実施形態１】
【００１８】
以下、図面を参照して、この発明の実施形態について詳細に説明する。
図１は、この発明の第1の実施形態である、折畳式の携帯電話機に実装される背面液晶表示パネルの保持構造を分解して示す分解斜視図、図２は、同背面液晶表示パネルの保持構造の機能を説明するための平面図、また、図３は、同背面液晶表示パネルの保持構造を概略示す断面図であり、同背面液晶表示パネルの保持構造の組立方法を説明するための説明図である。
なお、この発明の実施形態に係る折畳式の携帯電話機は、背面液晶表示パネルの保持構造を除けば、図６乃至図８の構成と概略同一であるので、概略同一の構成各部については、その説明を省略又は簡略化する。
【００１９】
この実施形態は、図１乃至図３に示すように、保持フレーム１４を用いて、背面液晶表示パネル１５ａを保持するための保持構造に係り、例えば、背面液晶表示部１５を備える折畳式の携帯電話機に適用されて実装される。
上記背面液晶表示部１５は、図１及び図２に示すように、概略矩形の背面液晶表示パネル１５aと、表示駆動回路部１５ｂと、これらを電気的に接続するフレキシブルケーブル１５ｃとから概略構成されている。また、上記表示駆動回路１５ｂは、プリント回路基板７（図８）に実装されて、図示せぬ制御回路部に接続されている。
【００２０】
また、上記保持フレーム１４は、図１及び図２に示すように、背面液晶表示パネル１５aを嵌合保持するための開口部１４ａを備える概略ロ字状の枠体１４ｂからなる点で、関連技術の保護フレーム８（図８）と共通する。一方、上記保持フレーム１４は、枠体１４ｂと、バネ性の付勢部１４ｃ、１４ｃと、複数の落下防止リブ１４ｄ、14ｄ、…と複数の浮き防止リブ１５ｅ、１５ｅとを備えている点で、関連技術の保護フレーム８とは著しく相違している。これらの枠体１４ｂ、付勢部１４ｃ、１４ｃ、落下防止リブ１４ｄ、14ｄ、…、及び浮き防止リブ１５ｅ、１５ｅは、例えば、樹脂の一体成形同時加工により形成される。
【００２１】
上記付勢部１４ｃ、１４ｃは、遊びをもって嵌め込まれた背面液晶表示パネル１５aの開口部１４ａ隙間内での回転ずれを規制するバネ機能を有し、開口部１４ａの一辺側（図２中の上、図３中の右）に左右対称のアーム形状に一対設けられている。付勢部１４ｃ、１４ｃは、バネ性を発揮できる所定の異形（アーム形状）を有する態様で枠体１４ｂの一部をなすと共に、開口部１４ａに面して、かつ、背面液晶表示パネル１５aの縁部外周に概略沿う方向に突設されている。この実施形態では、付勢部１４ｃ、１４ｃは、枠体１４ｂの長辺側の一辺に基端部を有し、当該一辺に沿って設けられていて、その異形の輪郭は、開口部１４ａの内周縁の一部（この実施形態では、）をなしてもいる。
【００２２】
また、落下防止リブ１４ｄ、14ｄ、…は、背面液晶表示パネル１５aの組立時の落下を防止するためのリブで、枠体１４ｂの内側面下部から開口部１４ａに向けて突設されている。
【００２３】
ところで、この第１の実施形態では、落下防止リブ１４ｄ、１４ｄの上面に背面液晶表示パネル１５aが載置されて、保持フレーム１４に組み付けられるため、両面粘着テープ６ａと背面液晶表示パネル１５aとの間に隙間が形成される。このため、落下等の衝撃によるバタツキや付勢部１４ｃ、１４ｃの押圧力により背面液晶表示パネル１５aが浮き、保持フレーム１４に乗り上げるという不具合が生じる虞がある。
そこで、この第１の実施形態では、衝撃や付勢等を受けて、組立時の背面液晶表示パネル１５aが浮き、枠体１４ｂに乗り上がるのを防止するための浮き防止リブ１５ｅ、１５ｅが、枠体１４ｂの上部から開口部１４ａに向けて突設されている。ここでは、浮き防止リブ１５ｅ、１５ｅは、図１及び図２に示すように、枠体１４ｂの相対向する短辺側の２辺に設けられている。
【００２４】
この実施形態の構成によれば、左右一対の付勢部１４ｃ、１４ｃが、実装組立時の背面液晶表示パネル１５aを開口部１４ａの他辺１６側（矢印１７の方向）にバランス良く適度に付勢して開口部１４ａの他辺１６の内周面（基準面）に当接させる。それゆえ、開口部１４ａに隙間（遊び）をもって嵌め込まれることに起因する背面液晶表示パネル１５aの回転ずれを防止できので、ユーザは、背面液晶表示パネル１５ａの表示画面を快適に視認することができる。
【００２５】
次に、図２及び図３を参照して、上記構成の保持フレーム１４を用いる保持構造の組立実装方法について説明する。
この実施形態による保持構造の組立方法は、図８に示すように、フロントケース５の裏面に両面粘着テープを貼り付ける点では、関連技術のそれと同様であるが、構成各部を両面粘着テープの上面に落とし込む手順が関連技術のそれと相違している。すなわち、関連技術にあっては、上記したように、フロントケース５の裏面に貼着された両面粘着テープ６の上面に、プリント回路基板７、保護フレーム８、及び背面液晶表示パネル９aをこの順に落とし込んで行くことで、組立てが行われる（図８）。
【００２６】
これに対して、この実施形態による保持構造の組立方法では、背面液晶表示パネル１５aを斜め方向から浮き防止リブ１５ｅ、１５ｅを潜らせ、落下防止リブ１４ｄ、14ｄの上面に載置する態様で、保持フレーム１４に予め組込んでおく（図３(ａ)）。このとき、背面液晶表示パネル１５aの一端をバネとして機能する付勢部１４ｃ、１４ｃに当接させると共に、浮き防止リブ１５ｅ、１５ｅに係止させた状態で、落下防止リブ１４ｄ、14ｄ、…の上面に載置する。これにより、背面液晶表示パネル１５aは、保持フレーム１４から離脱することなく、付勢部１４ｃ、１４ｃにより押圧力が加えられて、開口部１４ａの他辺１６の内周面（基準面）に当接されて保持される（図３(ｂ)）。このとき、背面液晶表示パネル１５aは、付勢部１４ｃ、１４ｃによって均等かつ適度に付勢されるため、傾きが規定され、回転ずれも解消される。
この後、一体結合された保持フレーム１４と背面液晶表示パネル１５aとをフロントケースの裏面５ａに貼着された両面粘着テープ６ａの上面に落とし込む。これにより、保持フレーム１４が両面粘着テープ６ａを介してフロントケースの裏面５ａに貼着されることなる（図３(ｃ)）。
【００２７】
このように、この実施形態による保持構造の組立方法によれば、背面液晶表示パネル１５aを保持フレーム１４に先に組み込み、背面液晶表示パネル１５aの傾きを規制してから、両面粘着テープ６ａの上面に落とし込むことができる。それゆえ、表示文字列の傾きを確実かつ容易に防止することができるので、ユーザは、背面液晶表示パネル１５ａの表示画面を快適に視認することができる。なお、背面液晶表示パネル１５aが浮き上がる虞がない構成であれば、浮き防止リブを省略できる。
【実施形態２】
【００２８】
次に、この発明の第２の実施形態について説明する。
図４は、この発明の第２の実施形態である背面液晶表示パネルの保持構造を概略示す断面図である。
この実施形態の保持フレーム１８では、浮き防止リブ１５ｆ、１５ｆが、図４に示すように、枠体１４ｂの短辺側ではなく、相対向する長辺側の２辺に設けられている点で、上述した第１の実施形態の保持フレーム１４と相違する。上記を除けば、この実施形態は、第１の実施形態と同様である。それゆえ、図４において、図３の構成部分と同一の各部については、同一の符号を付してその説明を省略又は簡略化する。上記浮き防止リブ１５ｆは、付勢部１４ｃが設けられている短辺側では、図４に示すように、付勢部１４ｃの上部に設けられている。
このように、この実施形態によっても、上述の第１の実施形態で述べたと略同様の効果を得ることができる。
【実施形態３】
【００２９】
次に、この発明の第３の実施形態について説明する。
図５は、この発明の第３の実施形態である背面液晶表示パネルの保持構造を概略示す断面図である。
この実施形態の保持構造が、第１の実施形態と著しく相違するところは、浮き防止リブを廃し、図５に示すように、背面液晶表示パネル１５aについても、両面粘着テープ６ａ、６ｂを介してフロントケースの裏面５ａに貼着するようにした点である。
【００３０】
この第３の実施形態では、図５に示すように、背面液晶表示パネル１５aが、保持フレーム１９の落下防止リブ１４ｄ上に載置された状態で保持フレーム１９の開口部１４ａに嵌め込まれる。保持フレーム１９が開口部１４ａに嵌め込まれると、付勢部１４ｃ、１４ｃによって開口部１４ａの内周面（基準面）１６に付勢当接されることで、保持フレーム１９に保持されている。このとき、背面液晶表示パネル１５aは、付勢部１４ｃ、１４ｃによって均等かつ適度に付勢されるため、傾きが規定され、回転ずれも解消される。この後、一体結合された保持フレーム１９と背面液晶表示パネル１５aとをフロントケースの裏面５ａに貼着された両面粘着テープ６ａ、６ｂの上面に落とし込む。これにより、保持フレーム１９が両面粘着テープ６ａを介してフロントケースの裏面５ａに貼着されることなる。さらに、背面液晶表示パネル１５aが上段と下段の両面粘着テープ６ａ、６ｂを介してフロントケースの裏面５ａに貼着される。
【００３１】
ところで、この第３の実施形態では、落下防止リブ１４ｄ、１４ｄの上面に背面液晶表示パネル１５aが載置されて、保持フレーム１９に組み付けられるため、両面粘着テープ６ａと背面液晶表示パネル１５aとの間には隙間が形成される。しかも、浮き防止リブを廃したので、落下等の衝撃によるバタツキや付勢部１４ｃ、１４ｃの押圧力により背面液晶表示パネル１５aが浮き、保持フレーム１９に乗り上げるという不具合が生じる虞がある。
【００３２】
そこで、第３の実施形態では、図５に示すように、両面粘着テープ６ａの上面のうち、背面液晶表示パネル１５aの配置領域に、上段の両面粘着テープ６ｂを設け、背面液晶表示パネル１５aが両面粘着テープ６ｂに貼着できるように構成されている。
【００３３】
このように、この第３の実施形態によれば、傾き表示画面の防止できる点で、上述の第１及び第２の実施形態で述べたと略同様の効果を得ることができる。また、背面液晶表示パネル１５aも、両面粘着テープ６ａ、６ｂを介してフロントケース裏面に貼着されるため、落下等の衝撃や付勢により背面液晶表示パネル１５aが保持フレーム１９に乗り上げるという不具合を回避できる。加えて、浮き防止リブを廃したので、上述の第１及び第２の実施形態に較べて、一段と、装置の薄型化に寄与できる。
【実施形態４】
【００３４】
次に、この発明の第４の実施形態について説明する。
この第４の実施形態の保持構造では、上下段の両面粘着テープ（図５）を用いる代わりに、フロントケースの裏面（筐体又は筐体内の基体）を上段面と下段面との図示せぬ段差構造とした点で、上述の第３の実施形態と著しく相違している。
この第４の実施形態においては、上段面にて、背面液晶表示パネルが両面粘着テープを介してフロントケースの裏面に貼着され、下段面にて、保持フレームが両面粘着テープを介して、フロントケースの裏面に貼着される。
このように、この構成によっても、上述の第３の実施形態で述べたと略同様の効果を得ることができる。
【００３５】
以上、この発明の一実施形態を図面を参照して詳述してきたが、具体的な構成はこの実施形態に限られるものではなく、この発明の要旨を逸脱しない範囲の設計の変更などがあってもこの発明に含まれる。たとえば、付勢部の個数は、２個に限らず、必要に応じて、例えば、液晶表示パネルのサイズに依存して、１個でも良く、あるいは、３個以上でも良い。また、上述の実施形態では、付勢部の形状をアーム形状としたが、これに限らず、バネ性を発揮できる形状であれば、任意の異形の形状でも良い。また、上述の実施形態では、付勢部を一辺に設置するようにしたが、一辺に限らず、必要に応じて、任意の複数辺に設置するようにしても良い。
【００３６】
また、上述の第３の実施形態では、上段の両面粘着テープを用いたが、上段の両面粘着テープを、予め、液晶表示パネル側に設けて置くようにしても良い。また、背面液晶表示パネルに限らず、正面液晶表示パネルに対しても、この発明を適用することもできる。また、液晶表示装置に限らず、例えば、ＥＬ（ElectroLuminescence）表示装置等、ＬＥＤ（Light Emitting Diode）表示装置、その他のパネル型表示装置にも適用できる。
【産業上の利用可能性】
【００３７】
この発明は、折畳式の携帯電話機に限らず、薄型厚型に関係なく、携帯であると否とを問わず、表示装置を備える電子機器一般に広く適用できる。
【符号の説明】
【００３８】
６ａ        下段の両面粘着テープ
６ｂ        上段の両面粘着テープ
１４、１８、１９        保持フレーム
１４ａ        開口部
１４ｂ        枠体
１４ｃ        付勢部
１４ｄ        落下防止リブ
１５ａ        背面液晶表示パネル（表示パネル）
１６        開口部の他辺
【図１】
0005533149.tif 000002
【図２】
0005533149.tif 000003
【図３】
0005533149.tif 000004
【図４】
0005533149.tif 000005
【図５】
0005533149.tif 000006
【図６】
0005533149.tif 000007
【図７】
0005533149.tif 000008
【図８】
0005533149.tif 000009
【図９】
0005533149.tif 000010
【図１０】
0005533149.tif 000011
【図１１】
0005533149.tif 000012